【手続補正書】
【提出日】平成17年2月16日(2005.2.16)
【手続補正１】
【補正対象書類名】明細書
【補正対象項目名】特許請求の範囲
【補正方法】変更
【補正の内容】
【特許請求の範囲】
【請求項１】
ラベル素紙と、その片面に塗布された粘着剤層と、その粘着剤層を覆う剥離紙から構成され、前記ラベル素紙に環状のディスク用ラベルを区画する円形の内側ラベル切込みと外側ラベル切込みを同心円状に設けたディスク用ラベル素材シートにおいて、  前記内側ラベル切込みの半径が、前記ラベルを貼り付けるディスクの中央部に形成された透孔の半径よりも０．５ｍｍ〜１０ｍｍ大きいことを特徴とするディスク用ラベル素材シート。
【請求項２】
請求項１記載のディスク用ラベル素材シートにおいて、前記ディスクの中央部に形成された透孔の半径が７．５ｍｍであることを特徴とするディスク用ラベル素材シート。
【請求項３】
請求項１または２記載のディスク用ラベル素材シートにおいて、前記剥離紙に、その剥離紙からラベルを剥離するときにラベル側の粘着剤層に付くタブを形成するタブ切込みを、前記ラベル切込みの直径方向に対向して少なくとも２つ設けたディスク用ラベル素材シートとし、前記タブ切込みが、前記外側ラベル切込みの内側領域から外側領域に跨って形成されていることを特徴とするディスク用ラベル素材シート。
【手続補正２】
【補正対象書類名】明細書
【補正対象項目名】００１５
【補正方法】変更
【補正の内容】
【００１５】
【課題を解決するための手段】
前記目的を達成するために、第１の手段は、ラベル素紙と、その片面に塗布された粘着剤層と、その粘着剤層を覆う剥離紙から構成され、前記ラベル素紙に環状のディスク用ラベルを区画する円形の内側ラベル切込みと外側ラベル切込みを同心円状に設けたディスク用ラベル素材シートにおいて、前記内側ラベル切込みの半径が、前記ラベルを貼り付けるディスクの中央部に形成された透孔の半径よりも０．５ｍｍ〜１０ｍｍ大きいことを特徴とするものである。
【手続補正３】
【補正対象書類名】明細書
【補正対象項目名】００１６
【補正方法】変更
【補正の内容】
【００１６】
本発明の第２の手段は、第１の手段記載のディスク用ラベル素材シートにおいて、前記ディスクの中央部に形成された透孔の半径が７．５ｍｍであることを特徴とするものである。
【手続補正４】
【補正対象書類名】明細書
【補正対象項目名】００１７
【補正方法】変更
【補正の内容】
【００１７】
本発明の第３の手段は、前記第１または第２の手段において、前記剥離紙に、その剥離紙からラベルを剥離するときにラベル側の粘着剤層に付くタブを形成するタブ切込みを、前記ラベル切込みの直径方向に対向して少なくとも２つ設けたディスク用ラベル素材シートとし、前記タブ切込みが、前記外側ラベル切込みの内側領域から外側領域に跨って形成されていることを特徴とするものである。
【手続補正５】
【補正対象書類名】明細書
【補正対象項目名】００１８
【補正方法】削除
【補正の内容】
【手続補正６】
【補正対象書類名】明細書
【補正対象項目名】００３０
【補正方法】変更
【補正の内容】
【００３０】
嵌合凹部１４の外周部に、フラットなラベル受け面１７が設けられている。ケース本体１１の底面の周辺部に当たる四隅に、基台突出部１８が設けられる。ケース本体１１には対向した２枚の側壁１９が立設され、それのほぼ中央部に前記タブ９の長さより若干長い切欠部２０が形成されている。
【手続補正７】
【補正対象書類名】明細書
【補正対象項目名】００４６
【補正方法】変更
【補正の内容】
【００４６】
一方、寸法差が１３．０ｍｍのものはラベルの中央穴の周縁がコンパクトディスクの周縁から十分に離れているから、粘着剤が滲み出してコンパクトディスクの周縁まで到達することはないが、中央穴の形成によるラベル印刷面の減少率がかなり大きくなり、写真やイラストの印刷には不向きである。図２３は寸法差が１３．０ｍｍのラベルを貼り付けたコンパクトディスク２７の平面図で、図１４のもの（寸法差が１．０ｍｍのラベル）と比較すると、写真の中央部が大きく欠けている。
【手続補正８】
【補正対象書類名】明細書
【補正対象項目名】００４７
【補正方法】変更
【補正の内容】
【００４７】
以上のことから、ラベルの中央穴の半径、すなわち内側ラベル切込みの半径を、ディスクの透孔の半径よりも０．５ｍｍ〜１０ｍｍ、好ましくは１ｍｍ〜９ｍｍ大きくすることにより、粘着剤が滲み出してコンパクトディスクの周縁まで到達することがなく、しかも写真やイラストの中央部分が欠ける割合の少ないラベルが得られる。
【手続補正９】
【補正対象書類名】明細書
【補正対象項目名】００４８
【補正方法】変更
【補正の内容】
【００４８】
【発明の効果】
本発明の第１の手段は、ラベル素紙と、その片面に塗布された粘着剤層と、その粘着剤層を覆う剥離紙から構成され、前記ラベル素紙に環状のディスク用ラベルを区画する円形の内側ラベル切込みと外側ラベル切込みを同心円状に設けたディスク用ラベル素材シートにおいて、前記内側ラベル切込みの半径が、前記ラベルを貼り付けるディスクの中央部に形成された透孔の半径よりも０．５ｍｍ〜１０ｍｍ大きいことを特徴とするものである。
このようにすることにより、粘着剤が滲みだしてコンパクトディスクの周縁まで到達することがなく、しかも写真やイラストの中央部分が欠ける割合の少ないラベルが得られる。
【手続補正１０】
【補正対象書類名】明細書
【補正対象項目名】００４９
【補正方法】削除
【補正の内容】
【手続補正１１】
【補正対象書類名】明細書
【補正対象項目名】００５０
【補正方法】削除
【補正の内容】
【手続補正１２】
【補正対象書類名】明細書
【補正対象項目名】００５１
【補正方法】変更
【補正の内容】
【００５１】
本発明の第２の手段は、第１の手段記載のディスク用ラベル素材シートにおいて、前記ディスクの中央部に形成された透孔の半径が７．５ｍｍであることを特徴とするものである。このように、第１の手段記載のディスク用ラベル素材シートにおいて、前記ディスクの中央部に形成された透孔の半径が７．５ｍｍである場合に、粘着剤が滲みだしてコンパクトディスクの周縁まで到達することがなく、しかも写真やイラストの中央部分が欠ける割合の少ないラベルが得られる効果が顕著なものとなる。
【手続補正１３】
【補正対象書類名】明細書
【補正対象項目名】００５２
【補正方法】変更
【補正の内容】
【００５２】
本発明の第３の手段は、前記第１または第２の手段において、前記剥離紙に、その剥離紙からラベルを剥離するときにラベル側の粘着剤層に付くタブを形成するタブ切込みを、前記ラベル切込みの直径方向に対向して少なくとも２つ設けたディスク用ラベル素材シートとし、前記タブ切込みが、前記外側ラベル切込みの内側領域から外側領域に跨って形成されていることを特徴とするものである。
このように、タブ切込みを外側ラベル切込みの内側領域から外側領域に跨がって形成することにより、外側ラベル切込みとタブ切込みを位置的にずらすことができるから、プリンタでディスク用ラベル素材シートに印刷をするときに、従来のように切れ目ができて、商品品質を低下するようなことがなくなる。
また、タブ切込みが外側ラベル切込みの内側領域に少しかかる程度であるから、そのタブ切込みに基づくシワもラベルの外周部近くに少し現れる程度であり、シワが目立たない。
【手続補正１４】
【補正対象書類名】明細書
【補正対象項目名】００５３
【補正方法】削除
【補正の内容】
【手続補正１５】
【補正対象書類名】図面
【補正対象項目名】図６
【補正方法】変更
【補正の内容】
【図６】
2003058058.tif 000001